Podtech/llm-jp-corpus-v4-ja_patent huggingface dataset:
(57)【要約】【課題】  耐震及び転倒防止効果の高い塀を提供する。また、耐震及び転倒防止のための構造に実用的な用途を持たせる。【解決手段】  本発明は、基部１１と、前記基部１１から起立するパネル１２部を有する複数の塀ユニット１０を有し、前記基部１１に貯水槽４０を設けたことを特徴とする塀１とした。【選択図】  図２
2017214703.tif 000002
【特許請求の範囲】
【請求項１】
基部と、前記基部から起立するパネル部を有する複数の塀ユニットを有し、
前記基部に貯水槽を設けたことを特徴とする塀。
【請求項２】
前記基部に断面コの字状の空間が形成され、そのコの字状の空間に前記貯水槽を設けたことを特徴とする請求項１に記載の塀。
【請求項３】
養殖を可能にするよう前記貯水槽の上面開放であることを特徴とする請求項２に記載の塀。
【請求項４】
前記水槽の上に、鉢植えを設置可能なブリッジを更に有することを特徴とする請求項２に記載の塀。
【請求項５】
複数の前記塀ユニットが連結部材によって連結されていることを特徴とする請求項１〜４のいずれか一項に記載の塀。
【請求項６】
前記パネル部が傾斜していることを特徴とする請求項１〜５のいずれか一項に記載の塀。
【発明の詳細な説明】
【技術分野】
【０００１】
本発明は、地震時の転倒や倒壊を防止できる塀に関する。
【背景技術】
【０００２】
地震時に、塀が倒れて人が下敷きになる事故や、倒れた塀等で道路が遮断され、緊急車両の通行や避難の障害になることが問題とされている。このようなことから地震などでの転倒や倒壊するのを防止するための補強構造を設けた塀が提案されている（特許文献１、２）。
【先行技術文献】
【特許文献】
【０００３】
【特許文献１】特開２００９−１４４３４１号公報
【特許文献２】特開２００４−２８５６７５号公報
【発明の概要】
【発明が解決しようとする課題】
【０００４】
特許文献１、２は、転倒を防止するための補強構造を塀に付加するものであるが、補強構造自体は、転倒防止以外に何ら実用的な用途が無い。よって、転倒防止を図る代わりに、補強構造の設置のためのコストや専有面積を犠牲にしているのであり、そのような事では一般への普及は見込めない。
【０００５】
本発明は、耐震、転倒・倒壊防止効果の高い塀を提供することを目的とする。また、転倒防止のための構造に実用的な用途を持たせた塀を提供することを目的とする。
【課題を解決するための手段】
【０００６】
本発明は、断面コの字状の基部と、前記基部から起立するパネル部を有する塀ユニットを有し、前記基部に貯水槽を設けたことを特徴とする塀とした。
【発明の効果】
【０００７】
本発明の塀によれば、貯水槽の水の重みで塀の転倒を防止できる。水は流動するので、耐震、転倒・倒壊防止効果が高い。貯水槽の水は、庭の水撒きや緊急時の生活用水とすることもでき、貯水槽で養殖や植物栽培できるなど、実用的な用途がある。複数の塀ユニットを連結する構成とすれば、塀の製造や設置が容易になる。
【図面の簡単な説明】
【０００８】
【図１】本発明の１実施形態に係る耐震塀１を示す。
【図２】図２（ａ）は、図１のＸ−Ｘ断面図を示す。図２（ｂ）は、図２（ａ）のＹ−Ｙ断面図を示す。
【図３】他の実施形態の耐震塀１を示す。
【発明を実施するための形態】
【０００９】
図１は、本発明の１実施形態に係る塀（耐震塀）１を示す平面図であり、住宅２や庭３等がある敷地を耐震塀１で囲っている様子を示している。本明細書では、耐震塀１の内側は、住宅２や庭３が有る側であり、その反対が外側である。図２（ａ）は、図１のＸ−Ｘ断面図を示す。図２（ｂ）は、図２（ａ）のＹ−Ｙ断面図を示す。
【００１０】
図示のように、耐震塀１は、耐震塀１の延長方向に並べられた複数の塀ユニット１０を有する。各塀ユニット１０は、断面コの字状の窪みを有する基部１１と、パネル部１２を有する。基部１１の断面コの字の形状は、外側面１１ａと底面１１ｂと内側面１１ｃで形成される。パネル部１２は、基部１１の一辺（本例では、外側面１１ａ）から上方に延長するように起立している。塀ユニット１０は、鉄やアルミニウムの一枚板を図示の形状に折り曲げることで作成できる。塀ユニット１０は、プラスチック成型品でもよい。このような材料を使えば、ブロック塀のように地震で崩壊する懸念がない。パネル部１２は、図示のように、内側に向けて傾斜させるとよい。
【００１１】
各塀ユニット１０は、連結部材２０を用いて連結されている。連結部材２０は、木材等の角材又は棒状の部材を使用することができる。塀ユニット１０と連結部材２０は、ボルト２１等を用いて固定される。図示の例では、塀ユニット１０の上部に折曲部１３を形成し、上下それぞれ２本の連結部材２０を取り付けることにより、塀ユニット１０の連結強度を高めている。
【００１２】
隣接する塀ユニット１０の境界部分の下地は、強化枠３０により強化される。強化枠３０は、基部１１を収容するように断面コの字状の形状を有する。強化枠３０は、コンクリート等のブロックで形成できる。本実施形態の強化枠３０は、外側ブロック３１、平板ブロック３２及び内側ブロック３３から構成される。強化枠３０を単一のブロックで形成してもよい。強化枠３０の無い部分の下地は、モルタル３４で強化するとよい。
【００１３】
基部１１の内壁には、貯水シート１４が張られている。貯水シート１４は、複数の塀ユニット１０に跨って設けられており、貯水シート１４の内側に水を溜めることで貯水槽４０が形成される。図示のように水槽４０は、上面開放である。よって、雨水を溜めることができる。魚介類の養殖も可能になる。
【００１４】
本発明の耐震塀１では、貯水槽４０の水の重みで耐震塀１の転倒を防止できる。水は流動するので、地震に対する耐震効果が高い。水の深さは、２００ｍｍ程度とするとよい。塀ユニット１０は、図１のように屈曲した線に沿って配列されて相互に連結されるので、一層転倒し難い。貯水槽４０の雨水は、緊急時の生活用水等として利用でき、養殖にも利用できる。基部１１の上（外側面１１ａと内側面１１ｃの間）にブリッジ４１を渡して鉢植えすることで、植物４２を栽培することができる（水耕栽培）。貯水槽４０の魚の糞や餌の食べ残しは植物の肥料になる。植物４２の根が貯水槽４０の水を洗浄する効果も期待できる。またパネル部１２を内側に傾斜させておくと、蔦等の植物４２がパネル部１２を伝い易くなり、緑化パネルにできる。図３のように、パネル部１２をフェンス（骨構造）にすると、蔦等の植物４２が絡み易い。
【産業上の利用可能性】
【００１５】
本発明の塀は、住宅、ビル、公園等の塀に使用できる。
【符号の説明】
【００１６】
１・・・耐震塀
１０・・・塀ユニット
１１・・・基部
１２・・・パネル部
１３・・・折曲部
１４・・・貯水シート
２０・・・連結部材
３０・・・強化枠
４０・・・貯水槽
【図１】
2017214703.tif 000003
【図２】
2017214703.tif 000004
【図３】
2017214703.tif 000005
(57)【要約】【課題】  本発明は、人が扉を閉じ忘れた場合でも自動的に扉をロックすることができ、取り付けが容易で安価なロック装置を提供することを目的とする。【解決手段】  本発明は、第１の時間で自動的に閉じるクローザー付きの扉１１ａ、１１ｂをロックするためのロック装置１であって、前記ロック装置１は、第２の時間でロック解除状態からロック状態に自動的に遷移し、前記第１の時間よりも前記第２の時間が短いことを特徴とするロック装置とした。【選択図】  図２
2017214704.tif 000002
【特許請求の範囲】
【請求項１】
第１の時間で自動的に閉じるクローザー付きの扉をロックするためのロック装置であって、
前記ロック装置は、第２の時間でロック解除状態からロック状態に自動的に遷移し、
前記第１の時間よりも前記第２の時間が短いことを特徴とするロック装置。
【請求項２】
前記ロック構造が、重力で移動可能なレバーと、前記レバーを係合する係合部材を有し、
前記レバーを持ち上げたときに前記ロック解除状態となり、
前記レバーが重力で前記係合部材と係合する位置に移動したときに前記ロック状態になることを特徴とする請求項１に記載のロック装置。
【請求項３】
請求項１又は２に記載のロック装置を有する家具。
【発明の詳細な説明】
【技術分野】
【０００１】
本発明は、家具等の扉を閉じた状態にロック・保持するロック装置に関する。
【背景技術】
【０００２】
地震が発生すると、その振動により食器棚や本棚、タンス等の家具等の扉が開き、中の物が落下、破損し、近くの人に当たってけがをする危険がある。そのため、近年では地震時の振動を感知して扉をロックするロック装置が種々知られている。
【０００３】
例えば、特許文献１は、地震時に扉の閉塞保持を行う閉塞保持装置を提供する。また、特許文献２では、地震時に扉の内側からの力が作用しても自然に開放しないようにした扉の自然開放防止装置が記載されている。
【先行技術文献】
【特許文献】
【０００４】
【特許文献１】特開平１１−９３４９４号公報
【特許文献２】特開平０９−１８４３４６号公報
【発明の概要】
【発明が解決しようとする課題】
【０００５】
特許文献１、２のロック装置は、扉が閉じていることが前提であり、地震のときに扉を閉じていなければ扉がロックされない。また、これらは、構造が複雑であり一般人には取り付けが困難である。そこで本発明は、人が扉を閉じ忘れた場合でも自動的に扉をロックすることができ、また、取り付けが容易で安価なロック装置を提供することを目的とする。
【課題を解決するための手段】
【０００６】
本発明は、第１の時間で自動的に閉じるクローザー付きの扉をロックするためのロック装置であって、前記ロック装置は、第２の時間でロック解除状態からロック状態に自動的に遷移し、前記第１の時間よりも前記第２の時間が短いことを特徴とするロック装置とした。
【発明の効果】
【０００７】
本発明のロック装置によれば、扉が開いていても、第１の時間で自動的に扉が閉じ、その後、第２の時間で自動的に扉がロックされる。よって、扉を閉め忘れても、自動的に扉をロックでき、地震が発生したときに扉が開いて中身が飛び出すことを防止できる。
【図面の簡単な説明】
【０００８】
【図１】本発明の１実施形態のロック装置１を用いた家具１０を示す。
【図２】ロック装置１を正面方向から見た断面図を示す。
【図３】ロック装置１を上から見た断面図を示す
【発明を実施するための形態】
【０００９】
図１は、本発明の１実施形態のロック装置１を用いた家具１０を示す。家具１０は、例えば、食器棚等、何でも良い。家具１０は、扉１１ａ、１１ｂと、扉１１ａ、１１ｂを自動的に閉じるためのドアクローザ１２を有する。ドアクローザ１２は多種のものが周知であり、構造の説明は省略する。扉１１ａ、１１ｂは、観音開き式に開閉可能である。ドアクローザ１２があるため、扉１１ａ、１１ｂを開けても、手を離せば一定時間（第１の時間）で自動的に扉１１ａ、１１ｂが閉まる。
【００１０】
図２は正面から見たロック装置１を示し、図３は上から見たロック装置１を示す。ロック装置１は、係合部材２とレバー３を有する。係合部材２は、天板２ａと側板２ｂを有する閂状の部材である。レバー３は、係止部３ａと錘３ｂを有する。
【００１１】
レバー３は、回転軸３ｃの周りで回転可能であり、手で持ち上げれば図２（ａ）、図３（ａ）のようにロック解除状態になる。ロック解除状態のときは、扉１１ａ、１１ｂを開け閉めできる。ロック解除状態で手を離すと、錘３ｂに掛かる重力により、レバー３は、一定時間（第２の時間）で自動的に図２（ｂ）、図３（ｂ）のようにロック状態になる。ロック状態では、係止部３ａが係合部材２の天板２ａに当たるので、扉１１ａ、１１ｂは開かない。回転可能な部材（レバー３）を一定時間で回転させるためのメカニズム（遅延回転メカニズム）は種々のものが公知なので、ここでは説明しない。
【００１２】
第１の時間は、第２の時間より短く設定されている。例えば、第１の時間は５秒で、第２の時間は１０秒である。よって、図２（ａ）、図３（ａ）のようにロック解除して扉１１ａ、１１ｂを開けると、その後は人が触れなくても、第１の時間で扉１１ａ、１１ｂが自動的に閉まり、その後、第２の時間で図２（ｂ）、図３（ｂ）のようにロック装置１がロック状態になる。よって、扉１１ａ、１１ｂを閉め忘れたとしても、自動的に扉１１ａ、１１ｂが閉じてロックが掛かる。これにより、地震が発生しても扉１１ａ、１１ｂが開くことを防止でき、収納物が飛び出ることを防止できる。
【００１３】
本実施形態では、両開きの扉１１ａ、１１ｂを例に説明したが、片開きの扉でも良い。また、扉１１ａ、１１ｂは観音開き式ではなく、引き戸式の扉でもよい。レバー３の回転動作によってロック解除状態からロック状態に遷移するロック装置１を説明したが、レバー３がスライド移動又は並進移動することで遷移してもよい。重力で遷移する場合を説明したが、バネや圧縮空気の力で遷移してもよい。
【産業上の利用可能性】
【００１４】
本発明のロック装置は、棚類やドア等の家具だけでなく、扉を自動的に閉じるクローザー付きの任意の物に利用できる。
【符号の説明】
【００１５】
１・・・ロック装置
２・・・係合部材
３・・・レバー
３ａ・・・係止部
３ｂ・・・錘
３ｃ・・・回転軸
１０・・・家具
１１ａ、１１ｂ・・・扉
【図１】
2017214704.tif 000003
【図２】
2017214704.tif 000004
【図３】
2017214704.tif 000005
(57)【要約】【課題】人体や環境に有害な成分や摩擦や静電気に対する感度が鋭敏な成分を含まず、着火性に優れた点火器用非火薬点火剤を提供する。【解決手段】過酸化ストロンチウム１０〜８５重量％、モリブデン粉１０〜７０重量％、ホウ素５〜３０重量％、結合剤であるニトロセルロースを外割りで０〜１０重量％含有する点火剤。【選択図】なし【特許請求の範囲】
【請求項１】
電気信号により起動する点火器用非火薬点火剤であって、過酸化ストロンチウムよりなる酸化剤、ホウ素粉及びモリブデン粉又はチタン粉発熱剤を含有することを特徴とする非火薬点火剤。
【請求項２】
ニトロセルロース、ポリ酸化ビニル樹脂、エチルセルロースのうちの一種以上よりなる結合剤を含有することを特徴とする請求項１記載の非火薬点火剤。
【請求項３】
過酸化ストロンチウムを１０〜８５％重量％、モリブテン粉を１０〜７０重量％、ホウ素粉を５〜３０重量％、結合剤を外割りで０〜１０重量％含有することを特徴とする請求項２記載の非火薬点火剤。
【発明の詳細な説明】
【技術分野】
【０００１】
本発明は、電気信号により起動する点火器、いわゆるスクイブや電気雷管に使用され、火薬取締法上の火薬に該当しない成分より構成される非火薬点火剤に関する。
【背景技術】
【０００２】
この種の点火器用非火薬点火剤として、ホウ素粉とクロム酸バリウムからなる点火剤、ジニトロレゾンシン鉛又はジルコニウムを還元剤とする点火剤、酸化鉄、酸化銅、二酸化テルル、三酸化モリブデン、過酸化マンガン等の酸化物よりなる酸化剤と、チタン粉及びホウ素粉を含有する点火剤（特許文献１）が知られる。
【先行技術文献】
【特許文献】
【０００３】
【特許文献１】特開２０１１−５２０５９号
【発明の概要】
【発明が解決しようとする課題】
【０００４】
クロム系酸化物を含有する点火剤はクロム系化合物が劇薬で、点火薬の製造や取扱い、或いはまた点火器作動後の生成物が人体や環境に有害な影響を与える可能性があり、
ジニトロレゾルシン鉛を還元剤とする点火剤は鉛を含んでいることから同様に、点火薬の製造や取扱い、或いはまた点火器作動後の生成物が人体や環境に有害な影響を与える可能性がある。
【０００５】
またジルコニウムを還元剤として用いる点火剤は、摩擦や静電気に対する感度が鋭敏なため、取扱いに十分な配慮が必要である。
【０００６】
この点、前記特許文献１に開示される点火剤は、前述する点火剤のような人体や環境に有害な成分を含まず、また摩擦や静電気に対する感度が鋭敏な成分を含まないが、着火性に関し、なお改善すべき余地がある。
【０００７】
本発明は、かかる点に鑑みてなされたもので、着火性を向上させた点火器用非火薬剤を提供することを目的とする。
【課題を解決するための手段】
【０００８】
請求項１に係る発明は、電気信号により起動する点火器用非火薬点火剤であって、過酸化ストロンチウムよりなる酸化剤、ホウ素粉及びモリブデン粉又はチタン粉発熱剤を含有することを特徴とする。
【０００９】
請求項２に係る発明は、請求項１に係る発明において、ニトロセルロース、ポリ酸化ビニル樹脂、エチルセルロースのうちの一種以上よりなる結合剤を含有することを特徴とする。
【００１０】
請求項３に係る発明は、請求項２に係る発明において、過酸化ストロンチウムを１０〜８５％重量％、好ましくは３０〜８５重量％、モリブテン粉を１０〜７０重量％、ホウ素粉を５〜３０重量％、結合剤を外割りで０〜１０重量％含有することを特徴とする。
【図面の簡単な説明】
【００１１】
【図１】点火器の概略断面図
【発明を実施するための形態】
【００１２】
図１は点火器の構造を示すもので、スリーブ１をＪＩＳ  Ｋ  ６９１３で規格されるＰＢ−ＰＥＭ製とした住友ベークライト社製のプラグ（型式ＰＭ８２２０）２に３８μｍφのニクロン線３を入れた点火剤４を封入し、これに軟銅線よりなるリード線５を接続してなるもので、点火剤は還元剤、酸化剤、及び結合剤からなっている。
【００１３】
前記還元剤で用いる還元剤としてはモリブデンとホウ素、酸化剤としては過酸化ストロンチウム、結合剤としてはニトロセルロースを用いて、溶剤として酢酸ブチルに溶解させてから使用する。モリブデン粉は１０〜７０重量％、ホウ素粉は５〜３０重量％、過酸化ストロンチウムは３０〜８５重量％、ニトロセルロースは外割りで０〜５重量％含有される。
【００１４】
【表１】
2017214261.tif 000002
【実施例１】
【００１５】
表１に示されるように、日本新金属株式会社製のモリブデン粉４０重量％、ホウ素（エイチ・シー・スタルク株式会社製ＭＩＬ−Ｂ−５１０９２）１０重量％、三津和化学薬品株式会社製の過酸化ストロンチウム５０重量％、日油株式会社製のニトロセルロースを外割りで２重量％含有する点火薬用点火剤を作成した。この点火剤に小ガス炎試験による火炎を接触させると、最短で０．３秒後に発火した。
【実施例２】
【００１６】
実施例１のモリブデン粉を２０重量％、ホウ素を１０重量％、過酸化ストロンチウムを７０重量％とし、ニトロセルロースを外割りで２重量％含有する点火器用点火剤を作成し、実施例１と同様にして火炎を接触させたところ、最短で０．３秒後に発火した。
【比較例１】
【００１７】
チタン粉（株式会社レアメタリック社製３２５＃ｐａｓｓ）２９重量％、ホウ素粉（エイチ・シー・スタルク株式会社製ＭＩＬ−Ｂ−５１０９２）１３重量％及び酸化剤としての二酸化テルル（関東化学株式会社製）５８重量％をメノウ製乳鉢に入れて混合し、６０℃で１２時間以上乾燥させて点化薬を作成した。そして実施例１と同じ条件で火炎を接触させたところ、発火まで１秒以上要した。
以上のように実施例１及び２はいずれも比較例１に比べ発火性能が向上した。
【符号の説明】
【００１８】
１・・スリーブ
２・・プラグ
３・・二クロム線
４・・点火剤
５・・リード線
【図１】
2017214261.tif 000003
【手続補正書】
【提出日】平成29年5月15日(2017.5.15)
【手続補正１】
【補正対象書類名】特許請求の範囲
【補正対象項目名】請求項１
【補正方法】変更
【補正の内容】
【請求項１】
電気信号により起動する点火器用非火薬点火剤であって、過酸化ストロンチウムよりなる酸化剤、ホウ素粉及びモリブデン粉よりなる発熱剤を含有することを特徴とする非火薬点火剤。
【手続補正２】
【補正対象書類名】明細書
【補正対象項目名】０００８
【補正方法】変更
【補正の内容】
【０００８】
請求項１に係る発明は、電気信号により起動する点火器用非火薬点火剤であって、過酸化ストロンチウムよりなる酸化剤、ホウ素粉及びモリブデン粉よりなる発熱剤を含有することを特徴とする。
(57)【要約】【課題】路上に置かれる定期搬出ゴミ袋はネットで覆われているが搬出後のネットは置き去りにされるか塀なぞにひっかけられ、醜いものであった。本発明は、ネットを収納でき人目にさらすことのないようにした装置を提供する。【解決手段】（イ）水を入れられる四角い容器の四隅に溝を設ける。（ロ）水入れ容器より大きめの箱に二本足のＵ字型の棒を二カ所取付け、Ｕ字型の棒の四本の脚は水入れ容器の四隅の溝にはめ込む。（ハ）四本の脚は伸縮ができる装置が設けられていて大きめの箱を上げたり下げたりできる。（ニ）大きめの箱の内側にはネットを取り付けられる。路上用ゴミ袋収納具。【選択図】図３
2017214214.tif 000002
【特許請求の範囲】
【請求項１】
重り用水入れ容器と箱型カバーを伸縮式Ｕ字型棒によって一体化させた定期搬出ゴミ袋収納具。
【発明の詳細な説明】
【技術分野】
【０００１】本発明は、路上における定期搬出ゴミを一時収納する収納具に関するものである。
【背景技術】
【０００２】従来、定期搬出ゴミ袋は置き去りにされたネット、又は塀なぞにかけてあるネットに収納されるか箱なぞに収納されて出されていた。
【発明の概要】
【発明が解決しようとする課題】
【０００３】定期搬出ゴミはネットに被されて搬出を待つことが多いが、搬出が終わった後はネットをしまうのに場所がなく人通りの少ない路上では放置されるか塀などにかけられて見苦しいものであった。
本発明は、以上の問題点を解決するためになされたものである。
【課題を解決する為の手段】
【０００４】（イ）水を入れられる四角い容器の４隅に溝を設ける。
（ロ）水入れ容器より大きめの箱に二本脚のＵ字型の棒を二か所取り付け、Ｕ字型の四本の脚は水を入れ容器の四隅の溝にはめ込む。
（ハ）四本の脚は伸縮ができる装置が設けられていて大きめの箱を上げたり下げたりできる。
（ニ）大きめの箱の内側にはネットを取付けられる。
以上の構成よりなる路上用ゴミ袋収納具。
【発明の効果】
【０００５】従来、見苦しく放置されていたネットが、本発明により箱に収納され重り用の容器と一体で風に飛ばされることはない。
【図面の簡単な説明】
【０００６】
【図１】  本発明の前面図
【図２】  本発明の側面図
【図３】  本発明の斜視図
【図４】  本発明の使用図
【図５】  本発明の収納図
【発明を実施するための形態】
【０００７】以下、本発明の実施の形態を説明する。
（イ）箱型カバー（１）の平面部（７）を挟んでとって部（６）と伸縮式Ｕ字型棒（２）を接合する。
（ロ）重り用水入れ容器（４）上面部（９）には四隅には溝が開けられているので伸縮式Ｕ字棒（２）の脚を全溝に一本ずつ入れ固定する。
（ハ）箱型カバー（１）の開口部（８）の内部縁にネット（１０）を設け固定する。
本発明は以上のような構造である。
本発明を使用する時は、重り用水入れ容器（４）の水流入口（３）から水を入れ重りとして、ボタン（５）を押しながらとって部（６）を目いっぱい引き上げると伸縮式Ｕ字型棒（２）は固定され上部に引き上げられた箱型カバー（１）の開口部（８）の中からネット（１０）が垂れ下がるのでネット（１０）の中にゴミ袋（１１）を被せ入れる。ゴミ袋（１１）搬出後はネット（１０）を重り用水入れ容器（４）の上面部（９）にまとめ、ボタン（５）を押しながら箱型カバー（１）を下に押し下げると箱型カバー（１）は重り用水入れ容器（４）に被せられ一つの箱となって路上に置かれるのである。
【符号の説明】
【０００８】１箱型カバー、２伸縮式Ｕ字型棒、３水流入口、４重り用水入れ容器、５ボタン
６とって部、７平面部、８開口部、９上面部、１０ネット、１１ゴミ袋
【図１】
2017214214.tif 000003
【図２】
2017214214.tif 000004
【図３】
2017214214.tif 000005
【図４】
2017214214.tif 000006
【図５】
2017214214.tif 000007